(57)【要約】      （修正有）【課題】  従来構造のＮＲＤガイドに比べて安価で高精度に製造でき、さらに薄型化を図ることができ、かつ、従来のＮＲＤガイドと同等以上の伝送特性を実現することができるようにした伝送線路を提供する。【解決手段】  伝送線路１は、第１の誘電体層１１と、第１の誘電体層１１の一方の面に積層された第２の誘電体層１２と、第２の誘電体層１２における、第１の誘電体層１１の積層面とは反対側の表面に積層されたグランド層１３と、第１および第２の誘電体層１１，１２を貫通すると共に一端がグランド層１３に接続された複数の第１および第２のスルーホール２１，２２とを備える。第２の誘電体層１２は、第１の誘電体層１１の誘電率ε２よりも、相対的に高い誘電率ε１を有している。第１および第２のスルーホール２１，２２の列によって挟まれた領域内において、ＬＳＭ01モードの電磁波のほとんどが、相対的に誘電率の高い第２の誘電体層１２内を伝搬する。【選択図】      図１
2006157703.tif 000002
【特許請求の範囲】
【請求項１】
所定の誘電率を有する第１の誘電体層と、
前記第１の誘電体層の誘電率よりも大きい誘電率を有し、前記第１の誘電体層の一方の面側に積層された第２の誘電体層と、
前記第２の誘電体層における、前記第１の誘電体層の積層面とは反対側の表面に積層された導体よりなるグランド層と、
前記第１および第２の誘電体層を貫通すると共に一端が前記グランド層に接続され、かつ列状に配設された複数の第１のスルーホールと、
前記第１および第２の誘電体層を貫通すると共に一端が前記グランド層に接続され、かつ前記第１のスルーホールに並列的に配設された複数の第２のスルーホールと
を備えたことを特徴とする伝送線路。
【請求項２】
前記第１の誘電体層における、前記第２の誘電体層の積層面とは反対側の表面全体に積層された導体層をさらに備えた
ことを特徴とする請求項１に記載の伝送線路。
【請求項３】
前記第１の誘電体層における、前記第２の誘電体層の積層面とは反対側の表面の一部の領域に積層された導体層をさらに備えた
ことを特徴とする請求項１に記載の伝送線路。
【請求項４】
前記導体層は、前記第１の誘電体層の表面において、前記第１および第２のスルーホールの列によって挟まれた領域の外側に形成されている
ことを特徴とする請求項３に記載の伝送線路。
【請求項５】
前記導体層は、前記第１の誘電体層の表面において、前記第１および第２のスルーホールの列によって挟まれた領域内に形成されている
ことを特徴とする請求項３に記載の伝送線路。
【請求項６】
前記第１および第２のスルーホールは内壁面が導電体で覆われ、ＬＳＭモードとＬＳＥモードで伝搬される電磁波のうち、ＬＳＭモードの電磁波に対してのみ擬似的な導体壁として機能するものである
ことを特徴とする請求項１ないし５のいずれか１項に記載の伝送線路。
【請求項７】
前記第１の誘電体層における前記第１および第２のスルーホールの列によって挟まれた領域内に、部分的に空気層が形成されている
ことを特徴とする請求項１ないし６のいずれか１項に記載の伝送線路。
【発明の詳細な説明】
【技術分野】
【０００１】
本発明は、例えばマイクロ波やミリ波の伝搬に用いられる伝送線路に関する。
【背景技術】
【０００２】
マイクロ波帯やミリ波帯の信号を伝送する伝送線路として、非放射性誘電体線路（Nonradiative Dielectric Waveguide；以下、ＮＲＤガイドという。）が知られている。ＮＲＤガイドは、図１４（Ａ）に示したように、互いに対向配置された上側金属板１０１および下側金属板１０２と、それらの金属板１０１，１０２に挟まれた誘電体線路１０３とによって構成される。このＮＲＤガイドでは、電磁波信号が誘電体線路１０３内に伝搬される。このＮＲＤガイドによれば、従来の誘電体線路（マイクロストリップライン等）に比べて、線路の曲がり部分や不連続部分での不要放射を抑制できるので、極めて高性能な誘電体線路を実現できる。
【０００３】
ここで、ＮＲＤガイドの伝送モードには、大別してＬＳＭモードとＬＳＥモードとがある。図１４（Ａ），（Ｂ）にはそれぞれ、ＬＳＭ01モードにおける電界Ｅ（ＬＳＭ01）の分布、および磁界Ｈ（ＬＳＭ01）の分布を模式的に示す。ＬＳＭ01モードにおいては、電磁波の伝搬方向（図のｚ方向）に平行、かつ上下の金属板１０１，１０２に垂直な面内にのみ磁界ベクトルＨが存在する。一方、図１５（Ａ），（Ｂ）にはそれぞれ、ＬＳＥ01モードにおける電界Ｅ（ＬＳＥ01）の分布、および磁界Ｈ（ＬＳＥ01）の分布を模式的に示す。ＬＳＥ01モードにおいては、伝搬方向に対して平行、かつ上下の金属板１０１，１０２に垂直な面内にのみ電界ベクトルＥが存在する。
【０００４】
通常、ＬＳＭモードとＬＳＥモードのうち、ＬＳＭモードの方が励振が容易でかつ低損失であることから、実用的にはＬＳＭモードが動作モードとして選ばれる。この場合、ＬＳＥモードは不要な伝送モードとなるため伝搬しないようにする必要がある。特許文献１には、ＮＲＤガイドにおいてＬＳＥモードを遮断するために、誘電体線路中に導体ピンを設ける方法や、誘電体線路中に串状パターンからなる導体ホイルを設ける方法が記載されている（特許文献１の図１、図１４等）。
【特許文献１】特開平９−２１９６０８号公報
【発明の開示】
【発明が解決しようとする課題】
【０００５】
しかしながら、特許文献１に記載の方法では加工が複雑になり、製造性の点で問題がある。また、従来のＮＲＤガイド自体の構造も、構造的強度を保つためには上下の金属板１０１，１０２を支持する構造が別途必要で、製造が難しいという問題がある。さらに金属板１０１，１０２と誘電体線路１０３とを隙間無く密着させなければならず、加工精度を出すのが難しいという問題がある。密着が不十分であると、伝搬特性が変わり所望の特性が得られなくなるおそれがある。
【０００６】
本発明はかかる問題点に鑑みてなされたもので、その目的は、従来構造のＮＲＤガイドに比べて安価で高精度に製造でき、さらに薄型化を図ることができ、かつ、従来のＮＲＤガイドと同等以上の伝送特性を実現することができるようにした伝送線路を提供することにある。
【課題を解決するための手段】
【０００７】
本発明による伝送線路は、所定の誘電率を有する第１の誘電体層と、第１の誘電体層の誘電率よりも大きい誘電率を有し、第１の誘電体層の一方の面側に積層された第２の誘電体層と、第２の誘電体層における、第１の誘電体層の積層面とは反対側の表面に積層された導体よりなるグランド層と、第１および第２の誘電体層を貫通すると共に一端がグランド層に接続され、かつ列状に配設された複数の第１のスルーホールと、第１および第２の誘電体層を貫通すると共に一端がグランド層に接続され、かつ第１のスルーホールに並列的に配設された複数の第２のスルーホールとを備えたものである。
【０００８】
本発明による伝送線路において、第１および第２のスルーホールは例えば、内壁面が導電体で覆われ、ＬＳＭモードとＬＳＥモードで伝搬される電磁波のうち、ＬＳＭモードの電磁波に対してのみ擬似的な導体壁として機能するものである。
【０００９】
本発明による伝送線路では、第１および第２のスルーホールが、伝搬対象の電磁波に対し擬似的な導体壁として機能する。そして、第１および第２のスルーホールの列によって挟まれた領域内において、伝搬対象の電磁波のほとんどが、相対的に誘電率の高い第２の誘電体層内を伝搬する。これによって、従来のＮＲＤガイドと同等以上の伝送特性を実現する。また、上下の金属板の間に誘電体線路を挟み込む従来構造のＮＲＤガイドに比べ、構造的強度および製造性の点で有利となる。さらに、第２の誘電体層における第１の誘電体層の積層面とは反対側の表面にグランド層を積層することで、イメージ線路の構成となり、薄型化が図られる。
【００１０】
本発明による伝送線路はまた、第１の誘電体層における、第２の誘電体層の積層面とは反対側の表面全体に積層された導体層をさらに備えていても良い。
【００１１】
本発明による伝送線路はまた、第１の誘電体層における、第２の誘電体層の積層面とは反対側の表面の一部の領域に積層された導体層をさらに備えていても良い。
この場合、導体層は例えば、第１の誘電体層の表面において、第１および第２のスルーホールの列によって挟まれた領域の外側に形成することができる。また逆に、導体層が、第１の誘電体層の表面において、第１および第２のスルーホールの列によって挟まれた領域内に形成されていても良い。
【００１２】
第１の誘電体層の表面全体または一部に導体層を設けた場合には、外部への不要な電磁波の漏えいもしくは伝搬が防止される。
【００１３】
本発明による伝送線路はさらに、第１の誘電体層における第１および第２のスルーホールの列によって挟まれた領域内に、部分的に空気層が形成されていても良い。
この場合、第１の誘電体層と第２の誘電体層との誘電率差を大きくでき、伝送特性がより向上する。
【発明の効果】
【００１４】
本発明の伝送線路によれば、相対的に誘電率の高い第２の誘電体層を、第１の誘電体層とグランド層とに挟まれるように積層し、かつ第１および第２のスルーホールを第１、および第２の誘電体層を貫通し、一端がグランド層に接続されるように列状に配設するようにしたので、従来構造のＮＲＤガイドに比べて安価で高精度に製造でき、かつ、ＮＲＤガイドと同等の伝送特性を実現することができる。特に、第２の誘電体層における第１の誘電体層の積層面とは反対側の表面にグランド層を積層することで、全体としてイメージ線路の構成となるようにしたので、薄型化を図ることができる。
【００１５】
本発明の伝送線路において、特に、第１の誘電体層における、第２の誘電体層の積層面とは反対側の表面の全体または一部に導体層を設けるようにした場合には、外部への不要な電磁波の漏えいもしくは伝搬を確実に防止することができる。
【発明を実施するための最良の形態】
【００１６】
以下、本発明の実施の形態について図面を参照して詳細に説明する。
【００１７】
［第１の実施の形態］
図１および図２は、本発明の第１の実施の形態に係る伝送線路１の一構成例を示している。この伝送線路１は、第１の誘電体層１１と、第１の誘電体層１１の一方の面側に積層された第２の誘電体層１２と、第２の誘電体層１２における、第１の誘電体層１１の積層面とは反対側の表面に積層された導体よりなるグランド層１３とを備えている。この伝送線路１はまた、第１および第２の誘電体層１１，１２を貫通すると共に一端がグランド層１３に接続された、複数の第１のスルーホール２１および複数の第２のスルーホール２２とを備えている。グランド層１３は、例えば板状の金属を第２の誘電体層１２の表面に貼り付けることで形成することができる。また、印刷法により金属の層を形成するようにしても良い。なお、図では、グランド層１３を第２の誘電体層１２の片面側全体に積層しているが、少なくとも第１および第２のスルーホール２１，２２との接続部分と第１および第２のスルーホール２１，２２の列によって挟まれた領域内にグランド層１３が積層されていれば良い。
【００１８】
第１および第２の誘電体層１１，１２、ならびにグランド層１３は、電磁波の伝搬方向Ｓに対し垂直方向に積層されている。中間層である第２の誘電体層１２は、上層である第１の誘電体層１１の誘電率ε２よりも、相対的に高い誘電率ε１を有している。後述するように、第１の誘電体層１１と第２の誘電体層１２は、できるだけ大きい誘電率差を有している方が、第１の誘電体層１１において不要な電場波を減衰させ、また第２の誘電体層１２内に電場波が伝搬され易くなるので望ましい。
【００１９】
第１のスルーホール２１は、電磁波の伝搬方向Ｓに複数、列状に配設されている。第２のスルーホール２２も同様に複数、列状に配設され、第１のスルーホール２１に並列的に配設されている。第１および第２のスルーホール２１，２２の内壁面は金属などの導電体で覆われている。または、内部に金属などの導電体が充填されていても良い。第１および第２のスルーホール２１，２２の断面形状は、円形に限らず、多角形または楕円等、他の形状であっても良い。第１および第２のスルーホール２１，２２は、伝搬対象の電磁波が漏れ出さないよう、所定値以下の間隔（例えば隣り合う各スルーホール間の間隔Ｄと各スルーホールの直径ｄとが同じとなるような間隔）で設けられており、伝搬対象の電磁波に対し擬似的な導体壁として機能している。特に、後述するように、ＬＳＭ01モードの電磁波に対して良好に擬似的な導体壁として機能する。
【００２０】
次に、この伝送線路１の作用を説明する。
【００２１】
この伝送線路１は、ＮＲＤガイドと同様にＬＳＭ01モードを伝搬する線路として機能する。すなわち、この伝送線路１では、第１および第２のスルーホール２１，２２の列によって挟まれた領域内において、伝搬対象であるＬＳＭ01モードの電磁波のほとんどが、後述する理由により相対的に誘電率の高い第２の誘電体層１２内を伝搬する。
【００２２】
図２および図３は、この伝送線路１内におけるＬＳＭ01モードの電界Ｅ（ＬＳＭ01）の分布、および磁界Ｈ（ＬＳＭ01）の分布を模式的に示している。図示したように、ＬＳＭ01モードでの磁界Ｈ（ＬＳＭ01）は、第１および第２のスルーホール２１，２２に直交する面内に環状に分布している。
【００２３】
ここで、図４（Ａ），（Ｂ）に、第１のスルーホール２１の近辺におけるＬＳＭ01モードの磁界Ｈ（ＬＳＭ01）の分布、およびＬＳＥ01モードの磁界Ｈ（ＬＳＥ01）の分布を模式的に示す。この伝送線路１では、第１のスルーホール２１に対して磁界Ｈが直交する電磁波、すなわち磁界Ｈ（ＬＳＭ01）が直交するＬＳＭ01モードの電磁波に対しては第１のスルーホール２１が擬似的な金属壁として機能する。一方、第１のスルーホール２１に対して磁界Ｈが平行となる電磁波、すなわち磁界Ｈ（ＬＳＥ01）が平行となるＬＳＥ01モードの電磁波に対しては第１のスルーホール２１が金属壁として機能せず、外部に電磁波が漏れ出すように機能する。なお、第２のスルーホール２２についても同様である。すなわち、この伝送線路１では、第１および第２のスルーホール２１，２２によって挟まれた領域内では、ＬＳＭ01モードとＬＳＥ01モードのうち、主としてＬＳＭ01モードの電磁波のみが伝搬される。なお、外部に漏れ出すＬＳＥ01モードの電磁波が問題となる場合には、伝送線路１の側面周囲に電波吸収体を設けるなどすれば良い。
【００２４】
次に、第１および第２の誘電体層１１，１２の積層方向での電磁波の分布を考察するが、その前にまず、この伝送線路１の比較例となる伝送線路１００における電磁波の分布を考察する。図６および図７は、その比較例となる伝送線路１００の構成を示している。この伝送線路１００は、第１および第２の誘電体層１１１，１１２と、第１および第２の誘電体層１１１，１１２に挟まれるように積層された第３の誘電体層１１３と、第１〜第３の誘電体層１１１〜１１３を貫通する複数の第１のスルーホール１２１および複数の第２のスルーホール１２２とを備えている。
【００２５】
この伝送線路１００において、中間層である第３の誘電体層１１３は、上下層である第１および第２の誘電体層１１１，１１２の誘電率ε２よりも、相対的に高い誘電率ε１を有している。第１のスルーホール１２１は、電磁波の伝搬方向Ｓに複数、列状に配設されている。第２のスルーホール１２２も同様に複数、列状に配設され、第１のスルーホール１２１に並列的に配設されている。第１および第２のスルーホール１２１，１２２は、本実施の形態の伝送線路１における第１および第２のスルーホール２１，２２と同様、伝搬対象の電磁波が漏れ出さないよう、所定値以下の間隔で設けられており、伝搬対象の電磁波に対し擬似的な導体壁として機能する。
【００２６】
この比較例の伝送線路１００は、図１４（Ａ）の従来構造のＮＲＤガイドと比較すると、図１４（Ａ）のｚ方向を軸として９０°回転させた状態において、誘電体線路１０３の上下方向に第１および第２の誘電体層１１１，１１２を積層し、金属板１０１，１０２をスルーホール１２１，１２２で形成したような構造となっている。従って、この伝送線路１００も、ＮＲＤガイドと同様にＬＳＭ01モードを伝搬する線路として機能する。すなわち、この伝送線路１００では、第１および第２のスルーホール１２１，１２２の列によって挟まれた領域内において、伝搬対象であるＬＳＭ01モードの電磁波のほとんどが、後述する理由により相対的に誘電率の高い第３の誘電体層１１３内を伝搬する。
【００２７】
ところで、空間に存在する電磁波のエネルギー密度Ｖは誘電率ε、電界ベクトルＥを用いて（１）式で表される。また、電界の大きさ|Ｅ|は誘電率εに反比例するので、（２）式が成り立つ。すなわち、（３）式のように、電磁波のエネルギー密度Ｖは、誘電率εに反比例する。これは、誘電率εの大きい空間は、エネルギー密度Ｖが下がることを意味する。
Ｖ＝ε|Ｅ|2  ……（１）
|Ｅ|∝１／ε  ……（２）
Ｖ∝１／ε  ……（３）
【００２８】
ここで、図５に、従来のＮＲＤガイドにおける電磁波のエネルギー密度分布１１０を模式的に示す。自然界のエネルギーは、エネルギーの低い方向に拡散する性質がある。すなわち電磁波は、エネルギー密度Ｖの低い誘電率εの大きい空間に拡散する。従って、例えば従来のＮＲＤガイドのように誘電体線路１０３の左右方向が空気層であれば、電磁波は誘電率εの低い空気中に存在するよりは誘電率εの高い誘電体線路１０３の部分を通ろうとする。これにより、ＮＲＤガイド内で電磁波が伝搬されるとき、その電磁波のエネルギー分布１１０は図５に示したように、誘電体線路１０３の部分で高く、図示した対象面２００の左右方向に指数関数的に減衰するような分布となる。
【００２９】
一方、比較例の伝送線路１００では、第３の誘電体層１１３が相対的に高い誘電率ε１を有しているので、入力された電磁波の多くは第３の誘電体層１１３を通り、上下層の第１および第２の誘電体層１１１，１１２では図示した対象面３００の上下方向に電磁波が指数関数的に減衰する。そして、その減衰の度合いは第１および第２の誘電体層１１１，１１２と第３の誘電体層１１３との誘電率差に依存する。従って、大きい誘電率差を有している方が、第１および第２の誘電体層１１１，１１２において不要な電場波を減衰させ、また第３の誘電体層１１３内に電場波が伝搬され易くなるので望ましいと言える。
【００３０】
ところで、比較例の伝送線路１００のように上下対象構造のデバイスは、対象面３００がオープン（開放）になるモードとショート（短絡）になるモードとの２つに分解することができる。ＬＳＭ01モードの場合、図７に示すように対象面３００に電界Ｅ（ＬＳＭ01）が垂直に交わるモードなので、対象面３００がショートになるモードとなる。すなわち、対象面３００をショートにして例えばその下側半分の層を取り去っても特性は変わらない。本実施の形態における伝送線路１では、この原理を利用しており、その構造は、図２および図７を比較して分かるように、ちょうど図７の対象面３００で第３の誘電体層１１３を切断し、その第３の誘電体層１１３の対象面３００にグランド層１３を積層した構造となっている。
【００３１】
本実施の形態における伝送線路１でも上記と同様の原理で、第２の誘電体層１２が相対的に高い誘電率ε１を有しているので、入力された電磁波の多くは第２の誘電体層１２を通り、上層の第１の誘電体層１１では電磁波が指数関数的に減衰する。そして、その減衰の度合いは第１の誘電体層１１と第２の誘電体層１２との誘電率差に依存する。従って、大きい誘電率差を有している方が、第１の誘電体層１１，１２において不要な電場波を減衰させ、また第２の誘電体層１２内に電場波が伝搬され易くなるので望ましいと言える。なお、理論的には第１の誘電体層１１を空気層とした方が、第２の誘電体層１２との誘電率差を大きくでき、伝送特性上好ましい。しかしながらその場合、第１および第２のスルーホール２１，２２を導体ピンなどで構成する必要があり、また構造的な強度を保つことが難しくなるので構造および製造上、現実的ではない。
【００３２】
ここで、比較例の伝送線路１００では、対象面３００を境界として鏡像（イメージ）的に電磁波が分布しているので、本実施の形態における伝送線路１では、その部分にグランド層１３を配置していることでイメージ線路の構造となり、その電磁波の分布は仮想的には比較例の伝送線路１００と同様となる。これにより、比較例の伝送線路１００と同様の伝送特性を厚みが半分の構造で実現している。
【００３３】
以上のようにして、この伝送線路１では、スルーホール構造と誘電体層の積層構造とにより、ＬＳＭ01モードを伝搬する線路として、従来のＮＲＤガイドと同等以上の伝送特性が実現される。また、外周全体が金属で囲まれている導波管に比べて、金属層が少ないので、導体損失が少なく伝送特性に優れている。
【００３４】
以上説明したように、本実施の形態によれば、相対的に誘電率の高い第２の誘電体層１２を、第１の誘電体層１１とグランド層１３とに挟まれるように積層し、かつ第１および第２のスルーホール２１，２２を第１、および第２の誘電体層１１，１２を貫通し、一端がグランド層１３に接続されるように列状に配設するようにしたので、従来構造のＮＲＤガイドに比べて安価で高精度に製造でき、かつ、ＮＲＤガイドと同等の伝送特性を実現することができる。
【００３５】
さらに、第２の誘電体層１２における第１の誘電体層１１の積層面とは反対側の表面にグランド層１３を積層することで、イメージ線路の構成となるようにしたので、薄型化を図ることができる。また、グランド層１３を設けていることにより、例えば他の伝送路との結合を行う場合には、その部分において結合を行い易く結合の点でも有利となる。
［第２の実施の形態］
【００３６】
次に、本発明の第２の実施の形態を説明する。なお、図１の構成と実質的に同一の部分には同一の符号を付し、適宜説明を省略する。
【００３７】
図８および図９は、本発明の第２の実施の形態に係る伝送線路２の一構成例を示している。この伝送線路２は、図１に示した伝送線路１の構成に対し、第１の誘電体層１１における、第２の誘電体層１２の積層面とは反対側の表面全体に金属からなる導体層３１を積層したものである。導体層３１は、例えば板状の金属を第１の誘電体層１１の表面に貼り付けることで形成することができる。また、印刷法により金属の層を形成するようにしても良い。
【００３８】
上述したように、図１に示した伝送線路１では、入力された電磁波の多くは第２の誘電体層１２を通り、上層の第１の誘電体層１１では電磁波が指数関数的に減衰する。しかしながら、十分減衰しきれずに外部に漏れ出す電磁波成分が生ずる場合も考えられる。本実施の形態に係る伝送線路２では、導体層３１が電磁波の遮蔽版として機能し、そのような外部に漏れ出す不要な電磁波成分の伝搬が防止される。
【００３９】
以上説明したように、この第２の実施の形態によれば、第１の誘電体層１１の表面全体に導体層３１を設けるようにしたので、外部への不要な電磁波の漏えいもしくは伝搬を確実に防止することができる。
［第３の実施の形態］
【００４０】
次に、本発明の第３の実施の形態を説明する。なお、図１の構成と実質的に同一の部分には同一の符号を付し、適宜説明を省略する。図８および図９の構成例では、第１の誘電体層１１の表面全体に導体層３１を設けるようにしたが、本実施の形態は、第１の誘電体層１１の表面の一部に導体層を設けるようにしたものである。
【００４１】
図１０は、本実施の形態の第１の構成例に係る伝送線路３の構成を示している。この伝送線路３は、図１に示した伝送線路１の構成に対し、第１の誘電体層１１における、第２の誘電体層１２の積層面とは反対側の表面の一部に金属からなる導体層３１Ａ，３１Ｂを積層したものである。より詳しくは、第１の誘電体層１１の表面において、第１および第２のスルーホール２１，２２の列によって挟まれた領域の外側の領域に、導体層３１Ａ，３１Ｂが形成されている。導体層３１Ａ，３１Ｂは、例えば印刷法により金属を塗布することで形成することができる。
【００４２】
図１に示した伝送線路１では、第１および第２のスルーホール２１，２２の列によって挟まれた領域内から外部に漏れ出した電磁波が、さらにその領域外において第１および第２の誘電体層１１，１２に侵入し、不要な電磁波成分として伝搬されてしまう場合も考えられる。この伝送線路３では、導体層３１Ａ，３１Ｂが電磁波の遮蔽版として機能し、そのような第１および第２の誘電体層１１，１２に侵入する不要な電磁波成分４１，４２の伝搬が防止される。
【００４３】
図１１は、本実施の形態の第２の構成例に係る伝送線路４の構成を示している。この伝送線路４は、図１０に示した第１の構成例に係る伝送線路３とは逆に、第１の誘電体層１１の表面において、第１および第２のスルーホール２１，２２の列によって挟まれた内側の領域に、導体層３１Ｃを積層したものである。導体層３１Ｃは、例えば印刷法により金属を塗布することで形成することができる。
【００４４】
この伝送線路４では、導体層３１Ｃが電磁波の遮蔽版として機能し、図８および図９に示した伝送線路２と同様、第１および第２のスルーホール２１，２２の列によって挟まれた領域内から外部に漏れ出す不要な電磁波成分の伝搬が防止される。
【００４５】
以上説明したように、この第３の実施の形態によれば、第１の誘電体層１１の表面の一部に導体層を設けるようにしたので、外部への不要な電磁波の漏えいもしくは伝搬を確実に防止することができる。
【００４６】
なお、本発明は、以上で説明した各実施の形態に限定されず、さらに種々の変形実施が可能である。例えば本発明の伝送線路は、直線状に限らず曲線状であっても良い。この場合、図１２に示したように、電磁波を伝搬させたい方向Ｓに沿って、第１および第２のスルーホール２１，２２を曲線状に設ければ良い。スルーホールを形成する位置を変更するだけなので、構造的に曲線状の伝送線路を容易に製造できる。
【００４７】
また、上述したように本発明の伝送線路では、第１の誘電体層１１と第２の誘電体層１２との誘電率差が大きい方が伝送特性上、好ましいが、この誘電率差を大きくするために、第１の誘電体層１１の内部に空気層を形成するようにしても良い。
【００４８】
例えば図１３（Ａ）に示したように、第１の誘電体層１１における、第１および第２のスルーホール２１，２２の列によって挟まれた領域内に、スルーホール状の空気孔２３を所定の間隔で複数、形成するようにしても良い。空気孔２３は、擬似的な導体壁として機能する第１および第２のスルーホール２１，２２とは異なり、内部には金属加工などはなされていない。空気孔２３が設けられていることにより、第１の誘電体層１１の内部が部分的に空気層となるので、その部分では誘電率が下がり、見掛け上、第１の誘電体層１１の全体としての誘電率が下がる。これにより、第２の誘電体層１２との誘電率差をより大きくでき、伝送特性がより向上する。
【００４９】
なお、図１３（Ｂ）に示したように、空気孔２３が第２の誘電体層１２の表面にまで達しておらず、第１の誘電体層１１の途中までしか形成されていなくとも良い。また、空気孔の形状は円形に限らず、どのような形状であっても良い。さらに、第１の誘電体層１１に形成する空気層はスルーホール状のものに限らず、例えば層の表面の中央部分を部分的に削り取るなどしても良い。
【図面の簡単な説明】
【００５０】
【図１】本発明の第１の実施の形態に係る伝送線路の全体構成を示す斜視図である。
【図２】本発明の第１の実施の形態に係る伝送線路の断面構造を、ＬＳＭ01モードの電界分布、および磁界分布と共に示した図である。
【図３】本発明の第１の実施の形態に係る伝送線路内におけるＬＳＭ01モードの磁界分布の状態を示した図である。
【図４】本発明の第１の実施の形態に係る伝送線路内におけるスルーホールの作用を説明した図である。
【図５】ＮＲＤガイドにおける電磁波のエネルギー密度分布を説明した図である。
【図６】本発明の第１の実施の形態に係る伝送線路に対する比較例の伝送線路の全体構成を示す斜視図である。
【図７】本発明の第１の実施の形態に係る伝送線路に対する比較例の伝送線路の断面構造を、ＬＳＭ01モードの電界分布、および磁界分布と共に示した図である。
【図８】本発明の第２の実施の形態に係る伝送線路の全体構成を示す斜視図である。
【図９】本発明の第２の実施の形態に係る伝送線路の断面構造を示した図である。
【図１０】本発明の第３の実施の形態に係る伝送線路の第１の構成例を示した図である。
【図１１】本発明の第３の実施の形態に係る伝送線路の第２の構成例を示した図である。
【図１２】伝送線路を曲げる場合の構成例を示した図である。
【図１３】本発明の第１の実施の形態に係る伝送線路の変形例を示す断面図である。
【図１４】従来のＮＲＤガイドの構造を、ＬＳＭ01モードにおける電界分布および磁界分布と共に示した図である。
【図１５】従来のＮＲＤガイドの構造を、ＬＳＥ01モードにおける電界分布および磁界分布と共に示した図である。
【符号の説明】
【００５１】
１１…第１の誘電体層、１２…第２の誘電体層、１３…グランド層、２１…第１のスルーホール、２２…第２のスルーホール、２３…空気孔、３１，３１Ａ，３１Ｂ，３１Ｃ…導体層。
【図１】
2006157703.tif 000003
【図２】
2006157703.tif 000004
【図３】
2006157703.tif 000005
【図４】
2006157703.tif 000006
【図５】
2006157703.tif 000007
【図６】
2006157703.tif 000008
【図７】
2006157703.tif 000009
【図８】
2006157703.tif 000010
【図９】
2006157703.tif 000011
【図１０】
2006157703.tif 000012
【図１１】
2006157703.tif 000013
【図１２】
2006157703.tif 000014
【図１３】
2006157703.tif 000015
【図１４】
2006157703.tif 000016
【図１５】
2006157703.tif 000017